(57)【要約】【課題】蓄光材料の発光を有効に用い、夜間でも住居表示を読み取れる住居表示板を提供する。【解決手段】住居表示板１は、光透過性の板状体２の裏面に鏡文字で住居表示を表す凹部３を形成し、凹部内に蓄光材料を含む光照射層４を設け、板状体の裏面の凹部以外にコントラストの良い色で印刷層５を設け、全体を光反射層７で覆う。昼間に光照射層に貯えられたエネルギーが夜間に光として放出されると、板状体の凹部内で住居表示の文字を構成する光照射層が発光する。板状体の表面側から見ると住居表示が透明な板状体内に浮き上がって見え、明確に確認できる。昼間には、凹部内の光照射層とその周りにある印刷層のコントラストから住居表示は明確に視認できる。【選択図】図２
2010015034.tif 000002
【特許請求の範囲】
【請求項１】
光透過性の板状体と、前記板状体の裏面に鏡文字で形成された住居表示を表す凹部と、前記凹部に設けられた蓄光材料を含む光照射層と、を有し、明環境において前記光照射層の前記蓄光材料に貯えられたエネルギーが暗環境において光として放出されることにより、前記光照射層が、前記凹部の内部で発光する住居表示として前記板状体の表面側から視認可能となることを特徴とする住居表示板。
【請求項２】
光透過性の板状体と、前記板状体の裏面に鏡文字の住居表示として形成された蓄光材料を含む光照射層とを有し、明環境において前記光照射層の前記蓄光材料に貯えられたエネルギーが暗環境において光として放出されることにより、前記光照射層が、発光する住居表示として前記板状体の表面側から視認可能となることを特徴とする住居表示板。
【請求項３】
光透過性の板状体と、前記板状体の裏面に抜き鏡文字の住居表示を形成する印刷層と、少なくとも前記印刷層の抜き鏡文字の部分に設けられた蓄光材料を含む光照射層とを有し、明環境において前記光照射層の前記蓄光材料に貯えられたエネルギーが暗環境において光として放出されることにより、前記光照射層が、発光する住居表示として前記板状体の表面側から視認可能となることを特徴とする住居表示板。
【請求項４】
光透過性の板状体と、前記板状体の裏面に鏡文字の住居表示として形成された印刷層と、前記板状体の裏面の前記印刷層以外の部分に設けられた蓄光材料を含む光照射層とを有し、明環境において前記光照射層の前記蓄光材料に貯えられたエネルギーが暗環境において光として放出されることにより、前記光照射層が、発光する住居表示として前記板状体の表面側から視認可能となることを特徴とする住居表示板。
【請求項５】
前記光照射層の裏面に光反射層を設け、前記蓄光材料から前記板状体の裏面に向けて照射された光を前記住居表示板の表面に向けて反射するように構成したことを特徴とする請求項１乃至４のいずれか一つに記載の住居表示板。
【請求項６】
前記板状体の表面側が凸となるように湾曲させたことを特徴とする請求項１乃至５のいずれか一つに記載の住居表示板。
【請求項７】
蓄光材料を含有している光透過性の板状体と、前記板状体の前面に鏡文字で住居表示を形成する印刷層とを有し、明環境において前記板状体の前記蓄光材料に貯えられたエネルギーが暗環境において光として放出されることにより、前記印刷層による住居表示が前記板状体の表面側から視認可能となることを特徴とする住居表示板。
【発明の詳細な説明】
【技術分野】
【０００１】
本発明は、建物その他の建造物の壁面、電柱・街灯等に取り付けられて当該位置の住所等を表示する住居表示板に係り、特に夜間等の暗環境においても電力無しで住所を的確に表示することができる安全で耐久性に優れた住居表示板に関するものである。
【背景技術】
【０００２】
建物その他の建造物の壁面等に取り付けられて住所等を表示する住居表示板としては、各街区に取り付けてある「街区表示板」や、各建物に取り付けてある「町名表示板」、「住居番号表示板」等があるが、これらは一般にアルミニウム板をプレス成形することにより文字部分を浮き出し状態に加工し、浮き出した文字部分と地の部分の表面側の塗装色を変えて視認性を高めようとしたものが多い。
【０００３】
建物その他の建造物の壁面等に取り付けられて住所等を表示するという住居表示板の目的からみて、昼夜を問わず往来する通行人の便宜に供するためには、この住居表示板は夜間や暗所でも容易に視認しうるものであることが望ましい。しかしながら、従来の住居表示板は、夜間や暗所では視認することが困難な場合があった。
【０００４】
そこで、本願発明者は、電源たる太陽電池及び蓄電池とこれに接続した照明手段とを住居表示板に付設した照明式住居表示板を案出した。この照明式住居表示板によれば、昼光によって住居表示を視認できる昼間は太陽発電で蓄電池に電力を貯え、住居表示を見ることが困難となる夜間は蓄電池で照明手段を発光させて住居表示を照らし、住所、街区、町名表示等を容易に視認できるようにすることができる。
【０００５】
しかしながら、このような構造では、住居表示を照らすために太陽電池、蓄電池及び照明手段といった多くの設備が必要になるため、町中に多数設置する必要のある住居表示板としてはコストがかかり過ぎて実用性に乏しいという問題があるとともに、太陽電池を用いるために設置場所の制限を受けるという問題もあった。
【０００６】
電気を使用せずにある程度の明るさを得る手段としては、蛍光塗料が知られているが、蛍光塗料の中には例えばシアン系化合物等のように環境負荷が大きい物質が含まれている場合があり、そのような物質については法律や都道府県の条例で規制されている場合があるので安易に採用することはできない。
【０００７】
これに対し、蛍光塗料に替わる安全性の高い発光材料としては蓄光材料が知られており、下記特許文献１乃至３に開示されているように種々の形態・目的で種々の組成の蓄光材料等が提案されているが、特に屋外に設置される住居表示板に用いた場合には耐候性が問題になると考えられるとともに、確実な視認性を確保するにはいかなる構造にするかが現実には大きな問題となる。
【特許文献１】特開２００１−３１８９４号公報
【特許文献２】特開２００１−１１３６４３号公報
【特許文献３】特開２００２−３６３４９９号公報
【発明の開示】
【発明が解決しようとする課題】
【０００８】
本願発明は、上述した背景技術及びこれを前提とした本願発明者の問題認識に鑑みてなされたものであり、環境負荷が少なく安全性が高いが、照明装置に比べて必ずしも十分な照度が得られるとはいえない蓄光材料の発光を有効に用い、住居表示を夜間でも確実に視認できる構造を備え、さらに耐久性にも優れた住居表示板を提供することにを目的としている。
【課題を解決するための手段】
【０００９】
請求項１に記載された住居表示板は、
光透過性の板状体と、前記板状体の裏面に鏡文字で形成された住居表示を表す凹部と、前記凹部に設けられた蓄光材料を含む光照射層と、を有し、明環境において前記光照射層の前記蓄光材料に貯えられたエネルギーが暗環境において光として放出されることにより、前記光照射層が、前記凹部の内部で発光する住居表示として前記板状体の表面側から視認可能となることを特徴としている。
【００１０】
請求項２に記載された住居表示板は、
光透過性の板状体と、前記板状体の裏面に鏡文字の住居表示として形成された蓄光材料を含む光照射層とを有し、明環境において前記光照射層の前記蓄光材料に貯えられたエネルギーが暗環境において光として放出されることにより、前記光照射層が、発光する住居表示として前記板状体の表面側から視認可能となることを特徴としている。
【００１１】
請求項３に記載された住居表示板は、
光透過性の板状体と、前記板状体の裏面に抜き鏡文字の住居表示を形成する印刷層と、少なくとも前記印刷層の抜き鏡文字の部分に設けられた蓄光材料を含む光照射層とを有し、明環境において前記光照射層の前記蓄光材料に貯えられたエネルギーが暗環境において光として放出されることにより、前記光照射層が、発光する住居表示として前記板状体の表面側から視認可能となることを特徴としている。
【００１２】
請求項４に記載された住居表示板は、
光透過性の板状体と、前記板状体の裏面に鏡文字の住居表示として形成された印刷層と、前記板状体の裏面の前記印刷層以外の部分に設けられた蓄光材料を含む光照射層とを有し、明環境において前記光照射層の前記蓄光材料に貯えられたエネルギーが暗環境において光として放出されることにより、前記光照射層が、発光する住居表示として前記板状体の表面側から視認可能となることを特徴としている。
【００１３】
請求項５に記載された住居表示板は、請求項１乃至４のいずれか一つに記載の住居表示板において、
前記光照射層の裏面に光反射層を設け、前記蓄光材料から前記板状体の裏面に向けて照射された光を前記住居表示板の表面に向けて反射するように構成したことを特徴としている。
【００１４】
請求項６に記載された住居表示板は、請求項１乃至５のいずれか一つに記載の住居表示板において、
前記板状体の表面側が凸となるように湾曲させたことを特徴としている。
【００１５】
請求項７に記載された住居表示板は、
蓄光材料を含有している光透過性の板状体と、前記板状体の前面に鏡文字で住居表示を形成する印刷層とを有し、明環境において前記板状体の前記蓄光材料に貯えられたエネルギーが暗環境において光として放出されることにより、前記印刷層による住居表示が前記板状体の表面側から視認可能となることを特徴としている。
【発明の効果】
【００１６】
請求項１に記載された住居表示板によれば、昼間に光照射層の蓄光材料に貯えられたエネルギーが夜間に光として放出されると、板状体に彫り込まれた凹部内で住居表示の文字を構成する光照射層が発光するので、これを板状体の表面側から見ると住居表示が透明な板状体内に浮き上がって見え、明確に確認できる。また、昼間には、凹部内の光照射層とその周りにある印刷層のコントラストから住居表示は明確に視認できる。
【００１７】
請求項２に記載された住居表示板によれば、昼間に光照射層の蓄光材料に貯えられたエネルギーが夜間に光として放出されると、板状体の裏面に形成された住居表示の文字を構成する光照射層が発光するので、これを板状体の表面側から見ると住居表示が透明な板状体を介して明確に確認できる。また、昼間には、光照射層とその周りにあるその他の部分とのコントラストから住居表示は明確に視認できる。
【００１８】
請求項３に記載された住居表示板によれば、昼間に光照射層の蓄光材料に貯えられたエネルギーが夜間に光として放出されると、板状体の裏面に形成された住居表示の文字を構成する光照射層が発光するので、これを板状体の表面側から見ると住居表示が透明な板状体越しに明確に確認できる。また、昼間には、光照射層とその周りにある印刷層とのコントラストから住居表示は明確に視認できる。
【００１９】
請求項４に記載された住居表示板によれば、昼間に光照射層の蓄光材料に貯えられたエネルギーが夜間に光として放出されると、板状体の裏面に形成された住居表示の文字を構成する印刷層の周囲にある光照射層が発光するので、これを板状体の表面側から見ると発光を背景として暗い住居表示が明確に確認できる。また、昼間には、印刷層とその周りの光照射層とのコントラストから住居表示は明確に視認できる。
【００２０】
請求項５に記載された住居表示板によれば、請求項１乃至４のいずれか一つに記載の住居表示板の効果において、発光層の蓄光材料から板状体の裏面に向けて照射された光を住居表示板の表面に向けて反射することができるので、蓄光材料が放射する光を効率的に利用して住居表示の表示輝度を高め、さらに視認性を向上させることができる。
【００２１】
請求項６に記載された住居表示板によれば、請求項１乃至５のいずれか一つに記載の住居表示板の効果において、さらに、板状体の表面側が凸となるように湾曲しているので、正面からだけでなく、やや斜めから見ても住居表示を視認することができ、さらに視認性を向上させることができる。
【００２２】
請求項７に記載された住居表示板によれば、明環境において板状体の蓄光材料に貯えられたエネルギーが暗環境において光として放出され、その前面側にある印刷層の鏡文字による住居表示を照らし出すため、当該住居表示が板状体の前面側で視認可能となるので、看者は確実にこれを視認することができる。
【００２３】
各請求項に記載された住居表示板は建造物の壁面等に取り付けられるものであり、また住居表示を構成する光照射層は壁面等に接する板状体の裏面側に設けられている。従って、光照射層の蓄光材料は外部環境に直接晒されている訳ではないので、住居表示板を長期間にわたり屋外に設置しても、光照射層が劣化して特に夜間の視認性が悪化することはない。特に請求項１記載の住居表示板によれば、光照射層は板状体の裏面の凹部に埋め込まれているので一層耐候性が高い。また請求項６記載の住居表示板によれば、光照射層が光光反射層に覆われているので一層耐候性が高い。
【発明を実施するための最良の形態】
【００２４】
以下、本発明の実施の形態（本例）を図面を参照して具体的に説明する。
図１は第１実施形態（第１例）に係る住居表示板の正面図、図２は図１の切断線における断面図、図３は第１例における凹部の拡大断面図である。
図４は第２実施形態（第２例）に係る住居表示板の断面図である。
図５は第３実施形態（第３例）に係る住居表示板の断面図である。
図６は第４実施形態（第４例）に係る住居表示板の断面図である。
図７は第５実施形態（第５例）に係る住居表示板の正面図、図８は図７の切断線における断面図である。
図９は第６実施形態（第６例）に係る住居表示板の断面図である。
図１０は、図６（第４例）の変形例を示す断面図、図１１は、図８（第５例）の変形例を示す断面図、図１２は、図９（第６例）の変形例を示す断面図である。
図１３は第７実施形態（第７例）を正面側から見た斜視図、図１４は第７実施形態（第７例）を裏面側から見た斜視図である。
図１５は第８実施形態（第８例）に係る住居表示板の断面図である。
【００２５】
以下の各実施形態で説明する本発明の住居表示板は、透光性を有する樹脂等の板状体の裏面側に、「街区」、「町名」、「住居番号」等が蓄光材料を利用して形成・表示されているものであり、また蓄光材料を含む透光性の樹脂等からなる板状体の表面側に、「街区」、「町名」、「住居番号」等が印刷層を利用して形成・表示されているものであり、いずれも屋外の建造物の壁面等に取り付けられる。
【００２６】
（１）第１実施形態（図１〜図３）
図１に示すように、第１例の住居表示板１は、光透過性の板状体２を基体としている。本例の板状体２は、透明なアクリル板やポリカーボネートや塩化ビニール板等の樹脂製の板材からなる。その外形は縦長の矩形であり、また、その寸法は視認しやすさや町中の壁部に取り付ける都合を考慮し、設置者において決定すればよいが、例えば７００ｍｍ×１４０ｍｍとすることができる。厚さについては、後述するように裏面側から前面側に光を透過させて裏面側に形成した住居表示を視認できるようにする必要性と、壁に取り付ける際の重さによる制限から、アクリル製である場合の一例として、住居表示板１としての強度を確保しうる厚さを下限としつつ、５ｍｍ程度より薄くすることが好ましい。
【００２７】
図２に示すように、前記板状体２の裏面には、住居表示を表す凹部３が鏡文字で形成されている（矢印は板状体２の前面に向かう視認方向を示す）。凹部３の形成方法は任意であるが、例えばレーザー加工、エンドミル等の工作機械を用いた機械的加工で形成することができる。
【００２８】
凹部３の内部には光照射層４が設けられている。本例の光照射層４は蓄光材料を主要成分として含んでいる。光照射層４を製造するには、蓄光材料又は蓄光材料を含む塗布材を凹部３の内部にディスペンサーで適量注入して充填し、その表面が板状体２の裏面に連続するように均してもよいし、適量の塗布材を板状体２の裏面に載せ、スキージでかき取って凹部３内に充填するようにしてもよい。その後、塗布材を乾燥して固化すれば、凹部３内を充填するように光照射層４が形成され、板状体２の裏面はほぼ平坦となる。
【００２９】
蓄光材料としては、硫化亜鉛を主要成分とするもの、又はアルミン酸塩化合物を用いた顔料等を主要成分とするもの等、各種の蓄光材料を使用することができる。例えば、前述したアルミン酸塩化合物を用いた蓄光材料は高い輝度性能を有し、耐候性にも優れている。例えば、太陽光２００００Ｌｕｘを５分間照射した後の残光輝度は１２時間後で３ｍｃｄ／ｍ2 以上ある。従って、昼間に蓄光材料に貯えられた光のエネルギーが夜間に光として放出され、板状体２の前面側から住居表示を明るく発光表示することができる。
【００３０】
板状体２の裏面の凹部３及び光照射層４以外の部分に光透過性の印刷層５を形成する。形成の方法は任意であるが、例えばスクリーン印刷やインクジェット装置を用いた印刷法が利用できる。印刷層５の色彩は、昼光下での住居表示の視認性を高めるためには、住居表示を示す光照射層４の色と高いコントラストを示すようなものが好ましい。例えば、光照射層４の昼光下での色彩が白色系統であれば、印刷層５は例えば黒色や青色などが好ましい。
【００３１】
図１に示すように、板状体２の上側の面積の８０％ほどに住居表示を設け、下側の２０％ほどに広告スペース６を設けることとしてもよい。広告スペース６は、企業等の広告を表示する領域であり、住居表示板１の設置者は、広告の対価として広告主である企業が支払った広告料を受け取り、これを住居表示板１の製造・設置のコストの一部として使用することができる。なお、この広告スペース６に設ける広告は、透明な板状体２の裏面に印刷で形成するものとするが、夜間にも表示したいのであれば、蓄光材料を有する材料で広告の文字・デザイン等を印刷して光照射層４としてもよい。また板状体２の裏面に広告の文字・デザイン等の凹部３を形成し、その中に蓄光材料を設けて光照射層４としてもよい。
【００３２】
なお、以上の説明では、板状体２の裏面に凹部３を形成し、凹部３内に光照射層４を形成し、その後に凹部３及び光照射層４を避けて印刷層５を形成するものとしたが、その順序は変えても良い。例えば、凹部３を形成した後に凹部３を避けて印刷層５を形成し、その後に凹部３内に光照射層４を形成してもよい。または、板状体２の裏面に抜き鏡文字で印刷層５を形成し、抜き鏡文字の抜き部分に凹部３を形成し、凹部３の内部に光照射層４を形成してもよい。
【００３３】
板状体２の裏面側において、光照射層４と印刷層５の上に光反射層７を形成する。光反射層７は、光照射層４から板状体２の裏面側に向けて照射された光を、板状体２の表面に向けて反射することにより、蓄光材料から放出される光エネルギーを夜間での表示視認のために無駄なく効率的に利用するための部材である。
【００３４】
従って、光反射層７は光を効率よく反射する機能を有していれば特に材料、材質、製法等は問わないが、例えば、板状体２の裏面側に露出している光照射層４及び印刷層５に白色の塗料を印刷して形成した白色層でもよいし、適宜の白色板を板状体２の裏面側に接着してもよい。又は、アルミニウムその他の金属の蒸着層で構成してもよいし、光反射面を有する板材、フィルム体等を別途構成し、これを板状体２の裏面側に接着剤等によって密着させて取り付けてもよい。なお、光反射層７は板状体２の裏面側の全面に形成することとしたが、光を効率良く利用するという目的からは、少なくとも光照射層４の裏側に形成されていればよい。しかしながら、光反射層７を板状体２の裏面側の全面に形成すれば、光照射層４の蓄光材料や印刷層５を保護することができるので、住居表示板１としての耐候性が高まる効果が得られる。
【００３５】
以上の構成によれば、昼間は印刷層５の色彩を背景とした良好なコントラストで光照射層４が住居表示の文字として確実に視認される。夜間は、昼間に光照射層４の蓄光材料に貯えられたエネルギーが光として放出され、板状体２に彫り込まれた凹部３内で住居表示の文字を構成する光照射層４が発光するので、これを板状体２の表面側から見ると住居表示が透明な板状体２内で浮き上がってやや立体的に見え、明確に視認される。
【００３６】
また、蓄光材料から住居表示板１の裏面に向けて照射された光は、裏面の光反射層７で反射して住居表示板１の表面に向けて照射されるので、蓄光材料からの光の利用効率は高く、単に蓄光材料を裏面側に設けただけの場合に比べて視認性が高くなる。
【００３７】
また、光照射層４及び印刷層５は光反射層７に覆われているので耐候性が高く、屋外の環境下で材質が劣化して蓄光能力が低下し、夜間の住居表示の視認性が低下したり、印刷層５が劣化して昼光下での住居表示の視認性が低下するおそれは小さい。また、印刷層５の断面が露出している板状体２の外周端縁を、ゴムその他の密封部材で封止して雨水や塵埃等の進入を防ぐようにすれば、光照射層４や印刷層５の耐候性をさらに高めることができるとともに、住居表示板１自体の強度を補強する効果も得られる。
【００３８】
また、光照射層４は板状体２の裏面に形成した凹部３内に設けられており、凹部３の底面と側周面の両方に接しているので、これらの各面に高い強度で付着している。従って、単に板状体２の平坦な裏面に光照射層４を設けて裏面一面だけで付着している場合に比べ、耐久性が高い。
【００３９】
また、本例の製造工程において、図３（ａ）に示すように、凹部３をレーザー加工によって滑らかに仕上げた場合には、凹部３内を充填する光照射層４から放射された光は、凹部３との境で乱反射されにくいので、住居表示は光照射層４の形状をそのまま表すようにはっきりと視認される。これに対し、図３（ｂ）に示すように、凹部３を比較的目の粗い工具で機械加工して凹凸が生じるように仕上げた場合には、凹部３内を充填する光照射層４は凹部３内の面の凹凸によって強固に付着して耐久性が高くなり、また凹部３内を充填する光照射層４から放射された光は、凹部３との境で乱反射されやすいので、住居表示は輪郭がぼけて表示され、柔らかな表示効果が得られる。
【００４０】
また、本例によれば、高価な蓄光材料を含む光照射層４は、板状体２の裏面全体に塗る必要はなく、住居表示を表す凹部３の中に充填する構造であるため、住居表示のために必要最小限の量ですむ。従って、製造コストを可及的低額に抑えることができる。
【００４１】
（２）第２実施形態（図４）
図４に示す第２例の住居表示板１ａにおいて、第１例と機能上対応する部分には第１例と同一の符号を付し、必要に応じてその構成及び効果の説明を第１例から援用し、本例の説明における繰り返しは省略する。
透光性のある板状体２の平坦な裏面には、蓄光材料を含む光照射層４が、鏡文字の住居表示のパターンで形成されている。この光照射層４は、白色に対してコントラストの良好な色彩で着色してある。そして、板状体２の裏面には、光照射層４を覆って光反射層７が形成されている。
【００４２】
本例によれば、昼間は光反射層７の白色（又は鏡面等）を背景とした良好なコントラストで光照射層４が所定の色彩の住居表示として確実に視認される。夜間は、昼間に光照射層４の蓄光材料に貯えられたエネルギーが光として放出され、板状体２の裏面にある光照射層４が発光するので、住居表示は明確に視認される。視認性、耐久性、耐候性その他の効果は第１例と同様である。
【００４３】
（３）第３実施形態（図５）
図５に示す第３例の住居表示板１において、第１例と機能上対応する部分には第１例と同一の符号を付し、必要に応じてその構成及び効果の説明を第１例から援用し、本例の説明における繰り返しは省略する。
透光性のある板状体２の平坦な裏面には、蓄光材料を含む光照射層４が、鏡文字の住居表示のパターンで形成されている。また板状体２の裏面には、光照射層４以外の部分に光透過性の印刷層５が形成されている。そして、板状体２の裏面側において、光照射層４と印刷層５を覆って光反射層７が形成されている。
【００４４】
本例によれば、昼間は印刷層５の色彩を背景とした良好なコントラストで光照射層４が白色の住居表示として確実に視認される。夜間は、昼間に光照射層４の蓄光材料に貯えられたエネルギーが光として放出され、板状体２の裏面にある光照射層４が発光するので、発光する住居表示の文字が明確に視認される。視認性、耐久性、耐候性その他の効果は第１例と同様である。
【００４５】
（４）第４実施形態（図６）
図６に示す第４例の住居表示板１において、第１例と機能上対応する部分には第１例と同一の符号を付し、必要に応じてその構成及び効果の説明を第１例から援用し、本例の説明における繰り返しは省略する。
透光性のある板状体２の平坦な裏面には、抜き鏡文字の住居表示を示す印刷層５が形成されている。本例の印刷層５は光を透過する材質からなる。また、少なくとも印刷層５の抜き鏡文字（鏡文字の形状を区画する印刷層５の開口の内部）に、蓄光材料を含む光照射層４が設けられている。本例では、印刷層５の抜き鏡文字の部分だけでなく、印刷層５の印刷材料（インク）層の上にも光照射層４が形成されている。そして、板状体２の裏面側において、光照射層４を覆って光反射層７が形成されている。
【００４６】
本例によれば、昼間は印刷層５の色彩を背景とした良好なコントラストで光照射層４が白色の住居表示として確実に視認される。夜間は、昼間に光照射層４の蓄光材料に貯えられたエネルギーが光として放出され、板状体２の裏面にある光照射層４が発光するので、印刷層５を透過して印刷層５の色に視認される背景の中に、発光する光照射層４の住居表示の文字が明確に視認される。視認性、耐久性、耐候性その他の効果は第１例と同様である。
【００４７】
また、印刷層５、光照射層４及び光反射層７の各断面が露出している板状体２の外周端縁を、図６中に一点鎖線で示すようなゴムその他の密封部材８で封止して雨水や塵埃等の進入を防ぐようにすれば、光照射層４や印刷層５の耐候性をさらに高めることができるとともに、住居表示板１自体の強度を補強する効果も得られる。尚、光照射層４の代わりに蓄光フィルムや蓄光シートを貼着してもよい。このような構成であれば、製造工程を簡略化することができる。
【００４８】
（５）第５実施形態（図７、図８）
図７及び図８に示す第５例の住居表示板１において、第１例と機能上対応する部分には第１例と同一の符号を付し、必要に応じてその構成及び効果の説明を第１例から援用し、本例の説明における繰り返しは省略する。
透光性のある板状体２の平坦な裏面には、鏡文字の住居表示を示す光透過性の印刷層５が形成されている。また、板状体２の裏面の印刷層５以外の部分に蓄光材料を含む光照射層４が設けられている。そして、板状体２の裏面側において、印刷層５及び光照射層４を覆って光反射層７が形成されている。
【００４９】
本例によれば、光照射層４の白色を背景とした良好なコントラストで印刷層５が所定の色彩の住居表示として確実に視認される。夜間は、昼間に光照射層４の蓄光材料に貯えられたエネルギーが光として放出され、印刷層５の住居表示パターンの周囲において、板状体２の裏面にある光照射層４が抜き鏡文字の住居表示パターンで発光し、住居表示の文字が明確に視認される。視認性、耐久性、耐候性その他の効果は第１例と同様である。
【００５０】
また、光照射層４や光反射層７の各断面が露出している板状体２の外周端縁を、図８中に一点鎖線で示すようなゴムその他の密封部材８で封止して雨水や塵埃等の進入を防ぐようにすれば、光照射層４や印刷層５の耐候性をさらに高めることができるとともに、住居表示板１自体の強度を補強する効果も得られる。
【００５１】
（６）第６実施形態（図９）
図９に示す第６例の住居表示板１において、第１例と機能上対応する部分には第１例と同一の符号を付し、必要に応じてその構成及び効果の説明を第１例から援用し、本例の説明における繰り返しは省略する。
透光性のある板状体２の平坦な裏面には、鏡文字の住居表示を示す光透過性の印刷層５が形成されている。また、板状体２の裏面側には、印刷層５を覆って全面に蓄光材料を含む光照射層４が設けられている。そして、板状体２の裏面側において、光照射層４を覆って光反射層７が形成されている。
【００５２】
本例によれば、光照射層４の白色（又は鏡面等）を背景とした良好なコントラストで印刷層５が所定の色彩の住居表示として確実に視認される。夜間は、昼間に光照射層４の蓄光材料に貯えられたエネルギーが光として放出され、印刷層５の背後にある光照射層４からの光が印刷層５を透過することにより所定の色彩で住居表示パターンが表示され、印刷層５の住居表示パターンの周囲では光照射層４が抜き鏡文字の住居表示パターンで印刷層５とは異なる色彩で発光するので、住居表示の文字が明確に視認される。視認性、耐久性、耐候性その他の効果は第１例と同様である。
【００５３】
また、光照射層４や光反射層７の各断面が露出している板状体２の外周端縁を、図９中に一点鎖線で示すようなゴムその他の密封部材８で封止して雨水や塵埃等の進入を防ぐようにすれば、光照射層４や印刷層５の耐候性をさらに高めることができるとともに、住居表示板１自体の強度を補強する効果も得られる。
【００５４】
（７）変形例（図１０〜図１２）
図１０〜図１２は、それぞれ図６（第４例）、図８（第５例）、図９（第６例）にそれぞれ示した住居表示板１ｃ，１ｄ，１ｅの変形例１ｃ’，１ｄ’，１ｅ’である。各変形例とも、板状体２の裏面の外周部に、周状の凸枠９を形成し、その内方に印刷層５と光照射層４と光反射層７を形成したものであり、積層構造が凸枠９内に密封されることから、第４〜６例に比べて耐久性、耐候性がさらに高い。
【００５５】
（８）第７実施形態（図１３、図１４）
図１３及び図１４に示すように、本例の住居表示板１ｆは、第１例の住居表示板１を短辺方向に沿って湾曲させてかまぼこ形とし、上下の湾曲した短辺の内側に三日月形の保持部材１０を接着してかまぼこ形の形状を固定したものである。なお、保持部材１０は板状体２を湾曲形状に保持する機能の他、湾曲させた板状体２から光反射層７、光照射層４等が剥がれ落ちるのを防止する効果もある。
【００５６】
本例の住居表示板１ｆは前面が凸に湾曲した立体形状なので、前方からはもちろん、斜め側方や横方向からも住居表示を見ることができ、視認可能な範囲がより広いという効果がある。
【００５７】
なお、本例の住居表示板１ｆは、第１例の住居表示板１を形成してから、これを湾曲させて製造するが、板状体２の裏面に凹部３を形成してから湾曲した状態に加工し、その後に光照射層４、印刷層５、光反射層７を形成してもよい。その場合には三日月形の保持部材１０は必ずしも必要ない。
【００５８】
（９）第８実施形態（図１５）
図１５に示すように、本例の住居表示板１ｇは、蓄光材料を含有している光透過性の樹脂等からなる板状体２ａと、板状体２ａの前面に鏡文字で住居表示を形成する透光性の印刷層５とを有し、さらに、印刷層の前面には保護用透明フィルム１５が設けられている。
【００５９】
本例によれば、明環境において板状体２ａが含む蓄光材料に貯えられたエネルギーが、暗環境で光として放出され、印刷層５による住居表示が板状体２ａの表面側から視認可能となる。すなわち、印刷層５において、抜き鏡文字（鏡文字の形状を区画する印刷層５の開口の部分）からは印刷層５の後方にある板状体２ａからの光が直接観察され、印刷層５の印刷材料の部分からは、後方にある板状体２ａからの光が所定の色彩の印刷層の印刷材料を透過して所定の色彩に観察されるので、両者の色彩のコントラストから住居表示が一層明確に観察される。
【図面の簡単な説明】
【００６０】
【図１】図１は第１実施形態（第１例）に係る住居表示板１の正面図である。
【図２】図２は図１の切断線における断面図である。
【図３】図３は第１例における凹部３の拡大断面図である。
【図４】図４は第２実施形態（第２例）に係る住居表示板１の断面図である。
【図５】図５は第３実施形態（第３例）に係る住居表示板１の断面図である。
【図６】図６は第４実施形態（第４例）に係る住居表示板１の断面図である。
【図７】図７は第５実施形態（第５例）に係る住居表示板１の正面図である。
【図８】図８は図７の切断線における断面図である。
【図９】図９は第６実施形態（第６例）に係る住居表示板１の断面図である。
【図１０】図１０は、図６（第４例）の変形例を示す断面図である。
【図１１】図１１は、図８（第５例）の変形例を示す断面図である。
【図１２】図１２は、図９（第６例）の変形例を示す断面図である。
【図１３】図１３は第７実施形態（第７例）を正面側から見た斜視図である。
【図１４】図１４は第７実施形態（第７例）を裏面側から見た斜視図である。
【図１５】図１５は第８実施形態（第８例）に係る住居表示板１の断面図である。
【符号の説明】
【００６１】
１，１ａ，１ｂ，１ｃ，１ｃ’，１ｄ，１ｄ’，１ｅ，１ｅ’，１ｆ，１ｇ…住居表示板
２，２ａ…板状体
３…凹部
４…光照射層
５…印刷層
７…光反射層
【図２】
2010015034.tif 000003
【図３】
2010015034.tif 000004
【図４】
2010015034.tif 000005
【図５】
2010015034.tif 000006
【図６】
2010015034.tif 000007
【図８】
2010015034.tif 000008
【図９】
2010015034.tif 000009
【図１０】
2010015034.tif 000010
【図１１】
2010015034.tif 000011
【図１２】
2010015034.tif 000012
【図１４】
2010015034.tif 000013
【図１５】
2010015034.tif 000014
【図１】
2010015034.tif 000015
【図７】
2010015034.tif 000016
【図１３】
2010015034.tif 000017